(57)【要約】【課題】          培土器を着脱する際着脱を必要とする例えば中央の三角切欠板を樹脂製として、従来の鉄製に比べて軽量化させて三角切欠板の着脱作業を容易とさせると共に、従来の鉄製に比べて剛性を低くして、耕耘作業により振動を発生しやすくし、土の付着を低減させ、また既存のロータリ耕耘装置に容易に装着可能とさせてコスト的に有利とさせ、リヤカバー全体を樹脂製とする場合に比べて著しく重量を変えることなく、均平性に影響がでることも少なくして均平性能を安定維持させる。【解決手段】      耕耘ロータリの後方に装備させるリヤカバーを鉄製にて構成すると共に、リヤカバーに着脱可能に設ける切欠板を樹脂製にて構成する。【選択図】        図３
2005176635.tif 000002
【特許請求の範囲】
【請求項１】
耕耘ロータリの後方に装備させるリヤカバーを鉄製にて構成すると共に、リヤカバーに着脱可能に設ける切欠板を樹脂製にて構成したことを特徴とする耕耘装置。
【請求項２】
リヤカバーに着脱可能に設けるサイドリヤカバーを樹脂製にて構成したことを特徴とする請求項１記載の耕耘装置。
【発明の詳細な説明】
【技術分野】
【０００１】
本発明は、ロータリ耕耘作業機にあって耕耘ロータリの後方にリヤカバーを装備させる耕耘装置に関する。  
【背景技術】
【０００２】
従来、リヤカバーや、培土器不装着時にリヤカバーに装着する三角切欠板や、左右尾輪不使用時にリヤカバーに装着するサイドリヤカバーは鉄製の板部材にて構成されているが、その部材だけでも重量が重い上、土の付着等で更に重くなっている場合があり、培土器や両尾輪を着脱するために三角切欠板やサイドリヤカバーを着脱する作業が困難となるだけでなく、サイドリヤカバーが壁や畦へ接触した場合、鉄製であるために剛性が高く、一度変形してしまうと元の状態に戻らないという不具合がある。
【０００３】
そこでリヤカバー全体を樹脂部材で形成した手段がある。（例えば特徴文献1参照）
【０００４】
【特許文献１】特開平９−８４４０２号公報
【発明の開示】
【発明が解決しようとする課題】
【０００５】
しかし乍ら、リヤカバー全体を樹脂製とすると、鉄製のものと比べて著しく重量が軽くなり、リヤカバー本来の役目である均平性に影響が出る虞がある。
【課題を解決するための手段】
【０００６】
そこで本発明は、耕耘ロータリの後方に装備させるリヤカバーを鉄製にて構成すると共に、リヤカバーに着脱可能に設ける切欠板を樹脂製にて構成したものである。
【０００７】
また、リヤカバーに着脱可能に設けるサイドリヤカバーを樹脂製にて構成したものである。
【発明の効果】
【０００８】
而して本発明によれば、耕耘ロータリの後方に装備させるリヤカバーを鉄製にて構成すると共に、リヤカバーに着脱可能に設ける切欠板を樹脂製にて構成したもので、培土器を着脱する際に必ず着脱する例えば中央の三角切欠板を樹脂製としたため、従来の鉄製に比べて軽量化されて三角切欠板の着脱作業が容易となると共に、従来の鉄製に比べて剛性が低いため、耕耘作業により振動しやすく、土の付着を低減することができ、また既存のロータリ耕耘装置に容易に装着可能とさせてコスト的に有利で、リヤカバー全体を樹脂製とする場合に比べて著しく重量が変わることなく、均平性に影響がでることも少ないなどの顕著な効果を奏するものである。
【０００９】
また、リヤカバーに着脱可能に設けるサイドリヤカバーを樹脂製にて構成したもので、壁や畦へ接触した場合、従来の鉄製のものに比べて剛性が低いため、壁や畦へ接触しても弾性により元の状態に復帰することができるため部品交換の頻度が減少し、コスト的に有利となるものである。
【発明を実施するための最良の形態】
【００１０】
以下、本発明の実施例を図面に基づいて詳述する。図１は全体の側面図、図２は耕耘ロータリ作業機の側面説明図を示し、図中１は農作業車であるトラクタであり、エンジン２を内設させるボンネット３両側に左右の前輪４・４を装設させ、前記ボンネット３後部に丸形操向ハンドル５を設け、該ハンドル５後方に運転席６を設置させ、運転席６両側後方に左右の後輪７・７を装設させ、作業者が運転席６に座乗して走行移動させると共に、トラクタ機体後方に３点リンク機構８を介し耕耘ロータリ９を有する耕耘ロータリ作業機１０を昇降自在に装設させて耕耘作業を行うように構成している。
【００１１】
図２・図３に示す如く、前記ロータリ作業機１０はサイドドライブ型で、中央にギヤボックス１１を配置し、ユニバーサルジョイント付ドライブ軸を介してトラクタ１のＰＴＯ軸に入力軸１２を連結して動力を伝え、前記ギヤボックス１１側面より両側方にビーム１３を突出させ、前記ビーム１３の外側端にチェンケース１４上部を固設し、該チェンケース１４下部にロータリ軸である耕耘爪軸１５を横架し、該耕耘爪軸１５上にナタ爪よりなる多数のロータリ爪である耕耘爪１６を側面視で放射状に植設させると共に、該耕耘爪１６の回転軌跡上方をロータリカバー１７によって覆い、両側をサイドカバー１８によって覆っている。そして、該耕耘爪軸１５はギヤボックス１１内のギヤ、ビーム１３内の伝動軸、チェンケース１４内のスプロケット及びチェンを介して駆動し、耕耘爪１６を回転させることによって耕耘を行うようにしている。
【００１２】
また、前記ロータリカバー１７後端に支点軸１９を介して上及び下リヤカバー２０・２１からなるリヤカバー２２を連結させるもので、上リヤカバー２０は支点軸１９により回動自在で、その後端が昇降自在であって、上リヤカバー２０後端を下方に弾圧させるバネ２３をハンガーロッド２４に巻装させ、上リヤカバー２０のブラケット２５と、ロータリカバー１７のブラケット２６との間に取り付ける該ハンガーロッド２４によって上リヤカバー２０の最下降限度を規制し、上リヤカバー２０の上昇動作をバネ２３によって弾圧規制している。
【００１３】
また、上リヤカバー２０後端に軸２７を介して下リヤカバー２１前端を回動自在に取り付け、下リヤカバー２１後端を上昇自在とし、上リヤカバー２０のブラケット２８に取り付けるロッド２９にバネ３０を巻装させて下リヤカバー２１後端を下方に弾圧させ、耕耘爪１６が耕起した土の表面をリヤカバー２２によって扁平にし、耕耘作業を行う。
【００１４】
図４乃至図８にも示す如く、下リヤカバー２１には、畦立作業時に培土器Ａを装着するため三角形の切欠部３１を中央部に設けるもので、該切欠部３１の表て面には、それを被覆する略三角形の切欠板（以下三角切欠板という）３２を着脱操作ハンドル３３などを介し着脱自在に設けると共に、下リヤカバー２１の左右両端には、左右尾輪を装着するための左右切欠部３４を設け、左右尾輪不使用時には切欠部３４を被覆するサイドリヤカバー３５をピン３６及びノブネジ３６ａなど取付手段を介して着脱自在に設けている。
【００１５】
なお、サイドリヤカバー３５には延長リヤカバー３７を収納自在に設けている。
【００１６】
そして、上及び下リヤカバー２０・２１本体を鉄製で構成すると共に、下リヤカバー２１の中央切欠部３１及び左右切欠部３４を被覆する三角切欠板３２及びサイドリヤカバー３５を樹脂製で構成して、これら三角切欠板３２及びサイドリヤカバー３５の着脱作業の容易化を図ると共に、従来の下リヤカバー２１の全てを鉄製するのに対し樹脂製で剛性を低減させる分耕耘作業中の振動を起きやすくして土の付着を低減させ、上及び下リヤカバー２０・２１全体を樹脂製とするものに比べ著しい重量変化を抑えて均平性も良好とさせるように構成している。
【００１７】
上記からも明らかなように、耕耘ロータリ９の後方に装備させるリヤカバー２２を鉄製にて構成すると共に、リヤカバー２２に着脱可能に設ける切欠板３２を樹脂製にて構成したもので、培土器Ａを着脱する際に必ず着脱する例えば中央の三角切欠板３２を樹脂製としたため、従来の鉄製に比べて軽量化されて三角切欠板３２の着脱作業が容易となると共に、従来の鉄製に比べて剛性が低いため、耕耘作業により振動しやすく、土の付着を低減することができ、また既存のロータリ耕耘装置に容易に装着可能とさせてコスト的に有利で、リヤカバー全体を樹脂製とする場合に比べて著しく重量が変わることなく、均平性に影響がでることも少なくして均平性能を安定維持させるものである。
【００１８】
また、リヤカバー２２に着脱可能に設けるサイドリヤカバー３５を樹脂製にて構成したもので、壁や畦へ接触した場合、従来の鉄製のものに比べて剛性が低いため、壁や畦へ接触しても弾性により元の状態に復帰することができるため部品交換の頻度が減少し、コスト的に有利となるものである。
【００１９】
なお、前記切欠板３２及びサイドリヤカバー３５を図９に示す如きブロー成形３８などにて構成しても良く、ブロー成形の切欠板３２及びサイドリヤカバー３５では、上部構造部ａ・下部構造部ｂ・接続部ｃ・重合部ｄで構成することができるため、軽量化したままで、比較的剛性を高くすることができ、ロータリ耕耘中の石の衝突等により変形すること等を少なくすることができる。
【００２０】
また、従来のリヤカバー２２や切欠板３２やサイドリヤカバー３５は鉄製で不透明のため補助者からはロータリ耕耘装置内の耕耘状態が把握できないが、切欠板３２やサイドリヤカバー３５を透明の樹脂成形とした場合には補助者による耕耘状況の把握が容易となる。
【図面の簡単な説明】
【００２１】
【図１】トラクタの全体側面図。
【図２】ロータリ作業機の側面説明図。
【図３】ロータリ作業機の平面説明図。
【図４】切欠板部の斜視説明図。
【図５】サイドリヤカバー部の説明図。
【図６】リヤカバー部の背面説明図。
【図７】切欠板の説明図。
【図８】サイドリヤカバーの説明図。
【図９】ブロー成形カバーの説明図。
【符号の説明】
【００２２】
９      耕耘ロータリ
２２    リヤカバー
３２    切欠板
３５    サイドリヤカバー
【図１】
2005176635.tif 000003
【図２】
2005176635.tif 000004
【図３】
2005176635.tif 000005
【図４】
2005176635.tif 000006
【図５】
2005176635.tif 000007
【図６】
2005176635.tif 000008
【図７】
2005176635.tif 000009
【図８】
2005176635.tif 000010
【図９】
2005176635.tif 000011